(57)【特許請求の範囲】
【請求項１】
移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移するように構成されている移動通信システムであって、
前記第１通信状態の移動局によって少なくとも１つの高速上りパケット通信対応無線リンクが確立された場合で、かつ、該第１通信状態の移動局における送信バッファ内のデータ量が所定閾値を超えた場合に、該第１通信状態の移動局が、前記第２通信状態に遷移するように構成されていることを特徴とする移動通信システム。
【請求項２】
移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移するように構成されている移動通信システムであって、
前記第１通信状態の移動局における全ての上りパケット通信用無線リンクが高速上りパケット通信対応無線リンクとして確立された場合で、かつ、該第１通信状態の移動局における送信バッファ内のデータ量が所定閾値を超えた場合に、該第１通信状態の移動局が、前記第２通信状態に遷移するように構成されていることを特徴とする移動通信システム。
【請求項３】
移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移する移動通信方法であって、
前記第１通信状態の移動局によって少なくとも１つの高速上りパケット通信対応無線リンクが確立された場合で、かつ、該第１通信状態の移動局における送信バッファ内のデータ量が所定閾値を超えた場合に、該第１通信状態の移動局が、前記第２通信状態に遷移することを特徴とする移動通信方法。
【請求項４】
移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移するように構成されている移動通信システムで用いられる無線制御装置であって、
前記第１通信状態の移動局によって少なくとも１つの高速上りパケット通信対応無線リンクが確立された場合で、かつ、該第１通信状態の移動局における送信バッファ内のデータ量が所定閾値を超えた場合に、該第１通信状態の移動局に対して、前記第２通信状態に遷移するように指示することを特徴とする無線制御装置。
【請求項５】
移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移するように構成されている移動通信システムで用いられる無線制御装置であって、
前記第１通信状態の移動局における全ての上りパケット通信用無線リンクが高速上りパケット通信対応無線リンクとして確立された場合で、かつ、該第１通信状態の移動局における送信バッファ内のデータ量が所定閾値を超えた場合に、該移動局及び該特定の無線基地局に対して、該移動局の通信状態を前記第１通信状態から前記第２通信状態に遷移させるように指示することを特徴とする無線制御装置。
【発明の詳細な説明】
【技術分野】
【０００１】
本発明は、移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移するように構成されている移動通信システム、移動通信方法及び無線制御装置に関する。
【背景技術】
【０００２】
３ＧＰＰで規定されているＥＵＬ（Ｅｎｈａｎｃｅｄ  Ｕｐｌｉｎｋ）或いはＨＳＵＰＡ（Ｈｉｇｈ  Ｓｐｅｅｄ  Ｕｐｌｉｎｋ  Ｐａｃｋｅｔ  Ａｃｃｅｓｓ）方式及びＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式が採用されている移動通信システムでは、各移動局ＵＥは、高速下りパケット通信（ＨＳＤＰＡ通信）対応無線リンクを用いて高速下りパケット通信（ＨＳＤＰＡ通信）を行い、高速上りパケット通信（ＥＵＬ通信）対応無線リンクを用いて高速上りパケット通信（ＥＵＬ通信）を行うことができる。
【特許文献１】特表２０００-５０５２６１号公報
【発明の開示】
【発明が解決しようとする課題】
【０００３】
ここで、上述の移動通信システムにおいて、各移動局ＵＥは、ＥＵＬ通信に対応していないＥＵＬ非対応基地局との間では、ＥＵＬ通信対応無線リンクを確立することができないため、当該ＥＵＬ非対応基地局配下のセルに在圏している場合、ＥＵＬ通信を行うことができない。
【０００４】
すなわち、図１に示すように、移動局ＵＥは、ＨＳＤＰＡ通信には対応しているがＥＵＬ通信に対応していないＥＵＬ非対応基地局＃１配下のセルＡに在圏している場合には、ＨＳＤＰＡ通信対応無線リンクを用いてＨＳＤＰＡ通信を行う一方、ＥＵＬ通信対応無線リンクを用いてＥＵＬ通信を行うことができないため、ＥＵＬ通信非対応無線リンク（通常の無線リンク）を用いてＲｅｌｅａｓｅ９９方式による上りパケット通信（Ｒ９９通信、通常の上りパケット通信）を行うように構成されている（第１通信状態）。
【０００５】
しかしながら、３ＧＰＰでは、第１通信状態の移動局ＵＥが、ＨＳＤＰＡ通信対応無線リンクを用いてＨＳＤＰＡ通信を行い、ＥＵＬ通信対応無線リンクを用いてＥＵＬ通信を行う第２通信状態に遷移する契機について規定されていないため、第１通信状態の移動局ＵＥが、ＨＳＤＰＡ通信及びＥＵＬ通信の両方に対応しているＥＵＬ対応基地局＃２配下のセルＢに在圏するようになったとしても、上述の第２通信状態に遷移することができないという問題点があった。
【０００６】
そこで、本発明は、上述の課題に鑑みてなされたものであり、所定条件が満たされた場合に、第１通信状態の移動局ＵＥが第２通信状態に遷移することができる移動通信システム、移動通信方法及び無線制御装置を提供することを目的とする。
【課題を解決するための手段】
【０００７】
本発明の第１の特徴は、移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移するように構成されている移動通信システムであって、前記第１通信状態の移動局によって少なくとも１つの高速上りパケット通信対応無線リンクが確立された場合に、該第１通信状態の移動局が、前記第２通信状態に遷移するように構成されていることを要旨とする。
【０００８】
本発明の第１の特徴において、前記第１通信状態の移動局によって少なくとも１つの高速上りパケット通信対応無線リンクが確立された場合で、かつ、該第１通信状態の移動局における送信バッファ内のデータ量が所定閾値を超えた場合に、該第１通信状態の移動局が、前記第２通信状態に遷移するように構成されていてもよい。
【０００９】
本発明の第１の特徴において、前記第１通信状態の移動局によって少なくとも１つの高速上りパケット通信対応無線リンクが確立された後、所定期間が経過した場合に、該第１通信状態の移動局が、前記第２通信状態に遷移するように構成されていてもよい。
【００１０】
本発明の第１の特徴において、前記第１通信状態の移動局によって少なくとも１つの高速上りパケット通信対応無線リンクが確立された場合で、かつ、該高速上りパケット通信対応無線リンクが確立された基地局において所定の空きリソースが存在している場合に、該第１通信状態の移動局が、前記第２通信状態に遷移するように構成されていてもよい。
【００１１】
本発明の第１の特徴において、前記第１通信状態の移動局によって少なくとも１つの高速上りパケット通信対応無線リンクが確立された場合で、かつ、該第１通信状態の移動局の高速下りパケット通信用サービングセルが該高速上りパケット通信対応無線リンクが確立された基地局に切り替わった場合に、該第１通信状態の移動局が、前記第２通信状態に遷移するように構成されていてもよい。
【００１２】
本発明の第２の特徴は、移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移するように構成されている移動通信システムであって、前記第１通信状態の移動局における全ての上りパケット通信用無線リンクが高速上りパケット通信対応無線リンクとして確立された場合に、該第１通信状態の移動局が、前記第２通信状態に遷移するように構成されていることを要旨とする。
【００１３】
本発明の第２の特徴において、前記第１通信状態の移動局における全ての上りパケット通信用無線リンクが高速上りパケット通信対応無線リンクとして確立された場合で、かつ、該第１通信状態の移動局における送信バッファ内のデータ量が所定閾値を超えた場合に、該第１通信状態の移動局が、前記第２通信状態に遷移するように構成されていてもよい。
【００１４】
本発明の第２の特徴において、前記第１通信状態の移動局における全ての上りパケット通信用無線リンクが高速上りパケット通信対応無線リンクとして確立された後、所定期間が経過した場合に、該第１通信状態の移動局が、前記第２通信状態に遷移するように構成されていてもよい。
【００１５】
本発明の第２の特徴において、前記第１通信状態の移動局における全ての上りパケット通信用無線リンクが高速上りパケット通信対応無線リンクとして確立された場合で、かつ、該高速上りパケット通信対応無線リンクが確立された基地局において所定の空きリソースが存在している場合に、前記第２通信状態に遷移するように構成されていてもよい。
【００１６】
本発明の第３の特徴は、移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移する移動通信方法であって、前記第１通信状態の移動局によって少なくとも１つの高速上りパケット通信対応無線リンクが確立された場合に、該第１通信状態の移動局が、前記第２通信状態に遷移することを要旨とする。
【００１７】
本発明の第４の特徴は、移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移する移動通信方法であって、前記第１通信状態の移動局における全ての上りパケット通信用無線リンクが高速上りパケット通信対応無線リンクとした確立された場合に、該第１通信状態の移動局が、前記第２通信状態に遷移することを要旨とする。
【００１８】
本発明の第５の特徴は、移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移するように構成されている移動通信システムで用いられる無線制御装置であって、前記第１通信状態の移動局によって少なくとも１つの高速上りパケット通信対応無線リンクが確立された場合に、該第１通信状態の移動局に対して、前記第２通信状態に遷移するように指示することを要旨とする。
【００１９】
本発明の第５の特徴において、前記第１通信状態の移動局によって少なくとも１つの高速上りパケット通信対応無線リンクが確立された場合で、かつ、該第１通信状態の移動局における送信バッファ内のデータ量が所定閾値を超えた場合に、該第１通信状態の移動局に対して、前記第２通信状態に遷移するように指示してもよい。
【００２０】
本発明の第５の特徴において、前記第１通信状態の移動局によって少なくとも１つの高速上りパケット通信対応無線リンクが確立された後、所定期間が経過した場合に、該第１通信状態の移動局に対して、前記第２通信状態に遷移するように指示してもよい。
【００２１】
本発明の第５の特徴において、前記第１通信状態の移動局によって少なくとも１つの高速上りパケット通信対応無線リンクが確立された場合で、かつ、該高速上りパケット通信対応無線リンクが確立された基地局において所定の空きリソースが存在している場合に、該第１通信状態の移動局に対して、前記第２通信状態に遷移するように指示してもよい。
【００２２】
本発明の第５の特徴において、前記第１通信状態の移動局によって少なくとも１つの高速上りパケット通信対応無線リンクが確立された場合で、かつ、該第１通信状態の移動局の高速下りパケット通信用サービングセルが該高速上りパケット通信対応無線リンクが確立された基地局に切り替わった場合に、該第１通信状態の移動局に対して、前記第２通信状態に遷移するように指示してもよい。
【００２３】
本発明の第６の特徴は、移動局が、高速下りパケット通信対応無線リンクを用いて高速下りパケット通信を行い、高速上りパケット通信対応無線リンクを含まない少なくとも１つの無線リンクを用いて上りパケット通信を行う第１通信状態から、前記高速下りパケット通信対応無線リンクを用いて高速下りパケット通信を行い、高速上りパケット通信対応無線リンクを用いて高速上りパケット通信を行う第２通信状態に遷移するように構成されている移動通信システムで用いられる無線制御装置であって、前記第１通信状態の移動局における全ての上りパケット通信用無線リンクが高速上りパケット通信対応無線リンクとして確立された場合に、該第１通信状態の移動局に対して、前記第２通信状態に遷移するように指示することを要旨とする。
【００２４】
本発明の第６の特徴において、前記第１通信状態の移動局における全ての上りパケット通信用無線リンクが高速上りパケット通信対応無線リンクとして確立された場合で、かつ、該第１通信状態の移動局における送信バッファ内のデータ量が所定閾値を超えた場合に、該移動局及び該特定の無線基地局に対して、該移動局の通信状態を前記第１通信状態から前記第２通信状態に遷移させるように指示してもよい。
【００２５】
本発明の第６の特徴において、前記第１通信状態の移動局における全ての上りパケット通信用無線リンクが高速上りパケット通信対応無線リンクとして確立された後、所定期間が経過した場合に、該第１通信状態の移動局に対して、前記第２通信状態に遷移するように指示してもよい。
【００２６】
本発明の第６の特徴において、前記第１通信状態の移動局における全ての上りパケット通信用無線リンクが高速上りパケット通信対応無線リンクとして確立された場合で、かつ、該高速上りパケット通信対応無線リンクが確立された基地局において所定の空きリソースが存在している場合に、該第１通信状態の移動局に対して、前記第２通信状態に遷移するように指示してもよい。
【発明の効果】
【００２７】
以上説明したように、本発明によれば、所定条件が満たされた場合に、第１通信状態の移動局ＵＥが第２通信状態に遷移することができる移動通信システム、移動通信方法及び無線制御装置を提供することができる。
【発明を実施するための最良の形態】
【００２８】
（本発明の第１の実施形態に係る移動通信システムの構成）
図１乃至図３を参照して、本発明の第１の実施形態に係る移動通信システムの構成について説明する。
【００２９】
本実施形態では、上述した３ＧＰＰで規定されている及びＨＳＤＰＡ方式及びＥＵＬ方式が採用されている移動通信システムを例に挙げて説明するが、本発明は、かかる例に限定されるものではない。
【００３０】
図１に示すように、本実施形態に係る移動通信システムは、無線制御装置ＲＮＣと、ＥＵＬ非対応基地局＃１と、ＥＵＬ対応基地局＃２と、移動局ＵＥとを具備している。
【００３１】
ここで、ＥＵＬ対応基地局＃２は、ＥＵＬ通信及びＨＳＤＰＡ通信の両方に対応可能な基地局であり、ＥＵＬ非対応基地局＃１は、ＨＳＤＰＡ通信に対応可能であるがＥＵＬ通信には対応可能でない基地局である。
【００３２】
また、移動局ＵＥは、ＥＵＬ非対応基地局＃１配下のセルＡに在圏している場合、ＨＳＤＰＡ通信（高速下りパケット通信）対応無線リンクを用いてＨＳＤＰＡ通信（高速下りパケット通信）を行い、ＥＵＬ通信（高速上りパケット通信）対応無線リンクを含まない少なくとも１つの無線リンクを用いてＲ９９通信（上りパケット通信）を行うことができる（第１通信状態）。
【００３３】
また、移動局ＵＥは、ＥＵＬ対応基地局＃２配下のセルＢに在圏している場合、ＨＳＤＰＡ通信（高速下りパケット通信）対応無線リンクを用いてＨＳＤＰＡ通信（高速下りパケット通信）を行い、ＥＵＬ通信（高速上りパケット通信）対応無線リンクを用いてＥＵＬ通信（高速上りパケット通信）を行うことができる（第２通信状態）。
【００３４】
図２に示すように、無線制御装置ＲＮＣは、移動局インターフェイス１１と、基地局インターフェイス１２と、通信状態制御部１３と、判定部１４とを具備している。
【００３５】
移動局インターフェイス１１は、移動局ＵＥとの間のインターフェイスとして機能するように構成されている。具体的には、移動局インターフェイス１１は、ＲＲＣシグナリング等を用いて、移動局ＵＥとの間で通信を行うように構成されている。
【００３６】
基地局インターフェイス１２は、ＥＵＬ非対応基地局＃１及びＥＵＬ対応基地局＃２との間のインターフェイスとして機能するように構成されている。具体的には、基地局インターフェイス１２は、ＮＢＡＰシグナリング等を用いて、ＥＵＬ非対応基地局＃１及びＥＵＬ対応基地局＃２との間で通信を行うように構成されている。
【００３７】
通信状態制御部１３は、ＥＵＬ接続条件＃１及びＥＵＬ接続条件＃２の双方が成立した場合に、第１通信状態の移動局ＵＥに対して、第２通信状態に遷移するように指示するものである。
【００３８】
具体的には、通信状態制御部１３は、ＥＵＬ接続条件＃１及びＥＵＬ接続条件＃２の双方が成立した場合に、基地局インターフェイス１２を介して、ＥＵＬ対応基地局＃２に対して、「Ｒａｄｉｏ  Ｌｉｎｋ  Ｒｅｃｏｎｆｉｇｕｒａｔｉｏｎ  Ｃｏｍｍｉｔ」メッセージ（ＮＢＡＰシグナリング）を通知し、移動局インターフェイス１１を介して、「Ｒａｄｉｏ  Ｂｅａｒｅｒ  Ｒｅｃｏｎｆｉｇｕｒａｔｉｏｎ」メッセージ（ＲＲＣシグナリング）を通知することによって、ＥＵＬ対応基地局＃２と移動局ＵＥとの間で確立されているＲ９９通信対応無線リンクをＥＵＬ通信対応無線リンクに切り替える。
【００３９】
判定部１４は、上述のＥＵＬ接続条件＃１及びＥＵＬ接続条件＃２が成立しているか否かについて判定するように構成されている。
【００４０】
ここで、ＥＵＬ接続条件＃１の一例として、「移動局ＵＥによって少なくとも１つのＥＵＬ通信（高速上りパケット通信）対応無線リンクが確立されること」、すなわち、「移動局ＵＥのアクティブセットに含まれる無線リンクのうち、少なくとも１つの無線リンクがＥＵＬ通信対応無線リンクになること」が挙げられる。
【００４１】
「アクティブセット」は、移動局ＵＥによって確立されている無線リンクの集合である。
【００４２】
また、ＥＵＬ接続条件＃１は、「移動局ＵＥにおける全ての上りパケット通信用無線リンクが高速上りパケット通信対応無線リンクとして確立されること」、すなわち、「移動局ＵＥのアクティブセットに含まれる全ての無線リンクがＥＵＬ通信対応無線リンクになること」であってもよい。
【００４３】
次に、ＥＵＬ接続条件＃２の例としては、次のものが挙げられる。
【００４４】
・  無条件
・  移動局ＵＥにおける送信バッファ内のデータ量が所定閾値を超えること
・  ＥＵＬ接続条件＃１が成立した後、所定期間が経過すること
・  上述の高速上りパケット通信対応無線リンクが確立された基地局において所定の空きリソースが存在していること
（本発明の第１の実施形態に係る移動通信システムの動作）
図３乃至図９を参照して、本発明の第１の実施形態に係る移動通信システムの動作について説明する。
【００４５】
図３に示すように、移動局ＵＥは、状態Ａにおいて、ＥＵＬ非対応基地局＃１との間でのみ、ＨＳＤＰＡ通信対応無線リンク及びＥＵＬ通信対応無線リンクを含まない少なくとも１つの無線リンクを確立している。
【００４６】
また、移動局ＵＥは、セルＡからセルＢの方向に移動した後、状態Ｂにおいて、ＥＵＬ非対応基地局＃１配下のセルＡとの間で、ＨＳＤＰＡ通信対応無線リンク及びＥＵＬ通信対応無線リンクを含まない少なくとも１つの無線リンクを確立していると共に、ＥＵＬ対応基地局＃２配下のセルＢとの間で、ＨＳＤＰＡ通信対応無線リンク及びＥＵＬ通信対応無線リンクを確立している。
【００４７】
その後、移動局ＵＥは、セルＡからセルＢの方向に更に移動した後、状態Ｃにおいて、ＥＵＬ非対応基地局＃１配下のセルＡとの間の無線リンクを解放し、ＥＵＬ対応基地局＃２配下のセルＢとの間でのみ、ＨＳＤＰＡ通信対応無線リンク及びＥＵＬ通信対応無線リンクを確立している。
【００４８】
第１に、図４を参照して、本実施形態に係る移動通信システムにおいて、ＥＵＬ接続条件＃１が成立する際の第１の動作について説明する。
【００４９】
図３に示すように、ステップＳ１０００において、移動局ＵＥは、状態Ａにおいて、ＥＵＬ非対応基地局＃１配下のセルＡとの間で、ＨＳＤＰＡ通信対応無線リンクを用いてＨＳＤＰＡ通信を行い、ＥＵＬ通信対応無線リンクを含まない少なくとも１つの無線リンクを用いて上りパケット通信（Ｒ９９通信）を行っている（第１通信状態）。
【００５０】
ステップＳ１００１において、移動局ＵＥが、所定条件が満たされた場合に、「Ｍｅａｓｕｒｅｍｅｎｔ  Ｒｅｐｏｒｔ」メッセージ１Ａ（ＲＲＣシグナリング）を、無線制御装置ＲＮＣに対して送信する。
【００５１】
ステップＳ１００２において、無線制御装置ＲＮＣは、受信した「Ｍｅａｓｕｒｅｍｅｎｔ  Ｒｅｐｏｒｔ」メッセージ１Ａに応じて、移動局ＵＥとＥＵＬ対応基地局＃２配下のセルＢとの間で、ＥＵＬ通信対応無線リンクを確立すること決定し、その旨を通知する「Ｒａｄｉｏ  Ｌｉｎｋ  Ａｄｄｉｔｉｏｎ  Ｒｅｑｕｅｓｔ」メッセージ（ＮＢＡＰシグナリング）を、ＥＵＬ対応基地局＃２に対して送信する。
【００５２】
ステップＳ１００３において、ＥＵＬ対応基地局＃２は、かかる「Ｒａｄｉｏ  Ｌｉｎｋ  Ａｄｄｉｔｉｏｎ  Ｒｅｑｕｅｓｔ」メッセージに対する応答として、「Ｒａｄｉｏ  Ｌｉｎｋ  Ａｄｄｉｔｉｏｎ  Ｒｅｓｐｏｎｓｅ」メッセージ（ＮＢＡＰシグナリング）を、無線制御装置ＲＮＣに対して送信する。
【００５３】
ステップＳ１００４において、無線制御装置ＲＮＣは、移動局ＵＥとＥＵＬ対応基地局＃２配下のセルＢとの間でＥＵＬ通信対応無線リンクを確立することを通知する「Ａｃｔｉｖｅ  Ｓｅｔ  Ｕｐｄａｔｅ」メッセージ（ＲＲＣシグナリング）を、移動局ＵＥに対して送信する。
【００５４】
ステップＳ１００５において、移動局ＵＥは、かかる「Ａｃｔｉｖｅ  Ｓｅｔ  Ｕｐｄａｔｅ」メッセージに対する応答として、「Ａｃｔｉｖｅ  Ｓｅｔ  Ｕｐｄａｔｅ  Ｃｏｍｐｌｅｔｅ」メッセージ（ＲＲＣシグナリング）を、無線制御装置ＲＮＣに対して送信する。
【００５５】
ステップＳ１００６において、移動局ＵＥは、ＥＵＬ対応基地局＃２配下のセルＢとの間で、ＨＳＤＰＡ通信対応無線リンク及び通信対応無線リンクを確立する。
【００５６】
かかる第１の動作では、ステップＳ１００６において、ＥＵＬ接続条件＃１が成立したものと判断される。ただし、かかる状態では、まだ、ＥＵＬ対応基地局＃２を介したＥＵＬ通信は開始されていない。
【００５７】
第２に、図５を参照して、本実施形態に係る移動通信システムにおいて、ＥＵＬ接続条件＃１が成立する際の第２の動作について説明する。
【００５８】
ステップＳ２０００において、移動局ＵＥは、状態Ｂにおいて、ＥＵＬ非対応基地局＃１配下のセルＡとの間で、ＨＳＤＰＡ通信対応無線リンクを用いてＨＳＤＰＡ通信を行い、ＥＵＬ通信対応無線リンクを含まない少なくとも１つの無線リンクを用いて上りパケット通信（Ｒ９９通信）を行うと共に、ＥＵＬ対応基地局＃２配下のセルＢとの間で、ＨＳＤＰＡ通信対応無線リンクを用いてＨＳＤＰＡ通信を行い、ＥＵＬ通信対応無線リンクを用いて上りパケット通信（Ｒ９９通信）を行っている。
【００５９】
ステップＳ２００１において、移動局ＵＥが、所定条件が満たされた場合に、「Ｍｅａｓｕｒｅｍｅｎｔ  Ｒｅｐｏｒｔ」メッセージ１Ｂ（ＲＲＣシグナリング）を、無線制御装置ＲＮＣに対して送信する。
【００６０】
ステップＳ２００２において、無線制御装置ＲＮＣは、受信した「Ｍｅａｓｕｒｅｍｅｎｔ  Ｒｅｐｏｒｔ」メッセージ１Ｂに応じて、移動局ＵＥとＥＵＬ非対応基地局＃１配下のセルＡとの間で確立されているＥＵＬ通信非対応無線リンクを削除することを決定し、その旨を通知する「Ａｃｔｉｖｅ  Ｓｅｔ  Ｕｐｄａｔｅ」メッセージ（ＲＲＣシグナリング）を、移動局ＵＥに対して送信する。
【００６１】
ステップＳ２００３において、移動局ＵＥは、かかる「Ａｃｔｉｖｅ  Ｓｅｔ  Ｕｐｄａｔｅ」メッセージに対する応答として、「Ａｃｔｉｖｅ  Ｓｅｔ  Ｕｐｄａｔｅ  Ｃｏｍｐｌｅｔｅ」メッセージ（ＲＲＣシグナリング）を、無線制御装置ＲＮＣに対して送信する。
【００６２】
ステップＳ２００４において、無線制御装置ＲＮＣは、移動局ＵＥとＥＵＬ非対応基地局＃１配下のセルＡとの間で確立されているＥＵＬ通信非対応無線リンクを削除することを通知する「Ｒａｄｉｏ  Ｌｉｎｋ  Ｄｅｌｅｔｉｏｎ  Ｒｅｑｕｅｓｔ」メッセージ（ＮＢＡＰシグナリング）を、ＥＵＬ非対応基地局＃１に対して送信する。
【００６３】
ステップＳ２００５において、ＥＵＬ非対応基地局＃１は、かかる「Ｒａｄｉｏ  Ｌｉｎｋ  Ｄｅｌｅｔｉｏｎ  Ｒｅｑｕｅｓｔ」メッセージに対する応答として、「Ｒａｄｉｏ  Ｌｉｎｋ  Ｄｅｌｅｔｉｏｎ  Ｒｅｓｐｏｎｓｅ」メッセージ（ＮＢＡＰシグナリング）を、無線制御装置ＲＮＣに対して送信する。
【００６４】
ステップＳ２００６において、移動局ＵＥは、ＥＵＬ非対応基地局＃１配下のセルＡとの間で確立されていたＨＳＤＰＡ通信対応無線リンク及びＥＵＬ通信非対応無線リンクを解放する。
【００６５】
かかる第２の動作では、ステップＳ２００６において、ＥＵＬ接続条件＃１が成立したものと判断される。ただし、かかる状態では、まだ、ＥＵＬ対応基地局＃２を介したＥＵＬ通信は開始されていない。
【００６６】
第３に、図６を参照して、本実施形態に係る移動通信システムにおいて、ＥＵＬ接続条件＃２が成立する際の第１の動作について説明する。
【００６７】
図６に示すように、ステップＳ３０００において、ＥＵＬ接続条件＃１が成立すると、ステップＳ３００１において、無条件に、ＥＵＬ接続条件＃２が成立したものと判定されると、無線制御装置ＲＮＣは、ステップＳ３００２Ａにおいて、ＥＵＬ対応基地局＃２に対して、「Ｒａｄｉｏ  Ｌｉｎｋ  Ｒｅｃｏｎｆｉｇｕｒａｔｉｏｎ  Ｐｒｅｐａｒｅ」メッセージ（ＮＢＡＰシグナリング）を送信する。
【００６８】
その後、ＥＵＬ対応基地局＃２は、ＥＵＬ通信対応無線リンクを設定されるに足るリソースを確保できた場合に、ステップＳ３００２Ｂにおいて、無線制御装置ＲＮＣに対して、「Ｒａｄｉｏ  Ｌｉｎｋ  Ｒｅｃｏｎｆｉｇｕｒａｔｉｏｎ  Ｒｅａｄｙ」メッセージ（ＮＢＡＰシグナリング）を送信する。
【００６９】
その後、ステップＳ３００２Ｃ及びＳ３００３において、無線制御装置ＲＮＣは、ＥＵＬ通信対応無線リンクを介したＥＵＬ通信を開始するように指示する（すなわち、第１通信状態の移動局を、第２通信状態に遷移させるように指示する）ための「Ｒａｄｉｏ  Ｌｉｎｋ  Ｒｅｃｏｎｆｉｇｕｒａｔｉｏｎ  Ｃｏｍｍｉｔ」メッセージ（ＮＢＡＰシグナリング）及び「Ｒａｄｉｏ  Ｂｅａｒｅｒ  Ｒｅｃｏｎｆｉｇｕｒａｔｉｏｎ」メッセージ（ＲＲＣシグナリング）を、それぞれ、ＥＵＬ対応基地局＃２及び移動局ＵＥに対して送信する。
【００７０】
ステップＳ３００４において、移動局ＵＥは、「Ｒａｄｉｏ  Ｂｅａｒｅｒ  Ｒｅｃｏｎｆｉｇｕｒａｔｉｏｎ」メッセージに対する応答として「Ｒａｄｉｏ  Ｂｅａｒｅｒ  Ｒｅｃｏｎｆｉｇｕｒａｔｉｏｎ  Ｃｏｍｐｌｅｔｅ」メッセージ（ＲＲＣシグナリング）を、無線制御装置ＲＮＣに送信する。
【００７１】
ステップＳ３００５において、移動局ＵＥによるＥＵＬ通信対応無線リンクを介したＥＵＬ通信が開始される、すなわち、移動局ＵＥの通信状態が、第１通信状態から第２通信状態に遷移する。
【００７２】
なお、ＥＵＬ接続条件＃１が、図４に示すものである場合、ステップＳ３００５において、ＥＵＬ通信を開始する前に、移動局ＵＥとＥＵＬ非対応基地局＃１との間で確立されているＨＳＤＰＡ対応無線リンク及びＥＵＬ非対応無線リンク
が解放される。
【００７３】
第４に、図７を参照して、本実施形態に係る移動通信システムにおいて、ＥＵＬ接続条件＃２が成立する際の第２の動作について説明する。
【００７４】
図７に示すように、ステップＳ４０００において、ＥＵＬ接続条件＃１が成立する。
【００７５】
ステップＳ４００１において、移動局ＵＥが、所定条件が満たされた場合に（例えば、送信バッファ内のデータ量が所定閾値を超えた場合に）、「Ｍｅａｓｕｒｅｍｅｎｔ  Ｒｅｐｏｒｔ」メッセージ４Ａ（ＲＲＣシグナリング）を、無線制御装置ＲＮＣに対して送信する。
【００７６】
ステップＳ４００２において、無線制御装置ＲＮＣは、受信した「Ｍｅａｓｕｒｅｍｅｎｔ  Ｒｅｐｏｒｔ」メッセージ４Ａに応じて、移動局ＵＥにおける送信バッファ内のデータ量が所定閾値を超えたと判定した場合、ＥＵＬ接続条件＃２が成立したものと判定する。
【００７７】
ステップＳ４００３Ａ乃至Ｓ４００６の動作は、図６に示すステップＳ３００２Ａ乃至Ｓ３００５の動作と同一である。
【００７８】
第５に、図８を参照して、本実施形態に係る移動通信システムにおいて、ＥＵＬ接続条件＃２が成立する際の第３の動作について説明する。
【００７９】
図８に示すように、ステップＳ５０００において、ＥＵＬ接続条件＃１が成立する。
【００８０】
ステップＳ５００１において、ＥＵＬ接続条件＃１が成立した後、所定期間が経過した場合に、具体的には、ステップＳ５００において起動したＥＵＬシフトアップタイマが満了した場合、ステップＳ５００２において、無線制御装置ＲＮＣは、ＥＵＬ接続条件＃２が成立したものと判定する。
【００８１】
ステップＳ５００３Ａ乃至Ｓ５００６の動作は、図６に示すステップＳ３００２Ａ乃至Ｓ３００５の動作と同一である。
【００８２】
第６に、図９を参照して、本実施形態に係る移動通信システムにおいて、ＥＵＬ接続条件＃２が成立する際の第４の動作について説明する。
【００８３】
図９に示すように、ステップＳ６０００において、ＥＵＬ接続条件＃１が成立する。
【００８４】
ステップＳ６００１において、ＥＵＬ対応基地局＃２が、所定条件が満たされた場合に（例えば、所定の空きリソースが存在する場合或いは所定の空きリソースが存在しない場合に）、ＥＵＬ対応基地局＃２の空きリソースを通知する「Ｃｏｍｍｏｎ  Ｍｅａｓｕｒｅｍｅｎｔ  Ｒｅｐｏｒｔ」メッセージ（ＮＢＡＰシグナリング）を、無線制御装置ＲＮＣに対して送信する。
【００８５】
ステップＳ６００２において、無線制御装置ＲＮＣは、受信した「Ｃｏｍｍｏｎ  Ｍｅａｓｕｒｅｍｅｎｔ  Ｒｅｐｏｒｔ」メッセージに応じて、ＥＵＬ対応基地局＃２において所定の空きリソースが存在していると判定した場合、ＥＵＬ接続条件＃２が成立したものと判定する。
【００８６】
ステップＳ６００３Ａ乃至Ｓ６００６の動作は、図６に示すステップＳ３００２Ａ乃至Ｓ３００５の動作と同一である。
【００８７】
（本発明の第１の実施形態に係る移動通信システムの作用・効果）
本実施形態に係る移動通信システムによれば、上述のＥＵＬ接続条件＃１及びＥＵＬ接続条件＃２の双方が成立した場合に、第１の通信状態の移動局ＵＥを、第２通信状態に遷移させることができるため、第１通信状態の移動局ＵＥが、ＨＳＤＰＡ通信及びＥＵＬ通信の両方に対応しているＥＵＬ対応基地局＃２配下のセルＢに在圏するようになったとしても、当該移動局ＵＥにおいて、ＥＵＬ通信を開始することができないという問題点を解決することができる。
【００８８】
また、本実施形態に係る移動通信システムによれば、ＥＵＬ接続条件＃１が成立した場合であっても、移動局ＵＥの送信バッファ内のデータ量が所定閾値を超えていない場合には、ＥＵＬ通信を行う必要がないものと判断して、ＥＵＬ通信を開始しないように構成することができる。
【００８９】
また、本実施形態に係る移動通信システムによれば、ＥＵＬ接続条件＃１が成立した場合であっても、所定期間が経過するまでは、ＥＵＬ通信を開始しないように構成することができるため、移動局ＵＥによって確立されたＥＵＬ通信対応無線リンクが開放されてしまうような環境でないことを判断した上で、ＥＵＬ通信を開始することができる。
【００９０】
さらに、本実施形態に係る移動通信システムによれば、ＥＵＬ接続条件＃１が成立した場合であっても、ＥＵＬ対応基地局＃１において所定の空きリソースが存在しない場合には、ＥＵＬ通信を行うことができないものと判断して、ＥＵＬ通信を開始しないように構成することができる。
【００９１】
（変更例１）
本発明の変更例１に係る移動通信システムでは、ＥＵＬ接続条件＃１として、「移動局ＵＥによって少なくとも１つのＥＵＬ通信（高速上りパケット通信）対応無線リンクが確立されること」、すなわち、「移動局ＵＥのアクティブセットに含まれる無線リンクのうち、少なくとも１つの無線リンクがＥＵＬ通信対応無線リンクになること」が用いられる。
【００９２】
また、本変更例１に係る移動通信システムでは、ＥＵＬ接続条件＃２として、「第１通信状態の移動局ＵＥの高速下りパケット通信（ＨＳＤＰＡ通信）用サービングセルが、高速上りパケット通信（ＥＵＬ通信）対応無線リンクが確立された基地局に切り替わること」が用いられる。
【００９３】
ここで、「サービングセル」は、移動局ＵＥの無線通信を主として制御し得るセルである。なお、３ＧＰＰでは、各移動局ＵＥにおいて、高速下りパケット通信（ＨＳＤＰＡ通信）用サービングセルと高速上りパケット通信（ＥＵＬ通信）用サービングセルとは同一であるように規定されている。
【００９４】
以下、図１０を参照して、本変更例１に係る移動通信システムを、上述の第１の実施形態に係る移動通信システムと比較して説明する。
【００９５】
第１に、図１０に示すケースＡについて説明する。ケースＡでは、ＥＵＬ接続条件＃１として「移動局ＵＥによって少なくとも１つのＥＵＬ通信（高速上りパケット通信）対応無線リンクが確立されること」が用いられ、ＥＵＬ接続条件＃２として「無条件」が用いられているものとする（図４及び図６に示すケース）。
【００９６】
ケースＡにおいて、移動局ＵＥが、Ｔ１に到達するまでの期間は、移動局ＵＥは、第１通信状態であり、移動局ＵＥのアクティブセット（上りパケット通信用）は、ＥＵＬ非対応基地局＃１配下のセルＡとの間で確立されている上りパケット通信用無線リンクのみを含み、移動局ＵＥのサービングセル（ＨＳＤＰＡ通信用サービングセル）は、セルＡである。
【００９７】
その後、移動局ＵＥにおいて、セルＡからの受信レベルとセルＢからの受信レベルの差が追加用閾値となった時点Ｔ１で、移動局ＵＥは、第２通信状態に遷移し、移動局ＵＥのアクティブセット（上りパケット通信用）は、ＥＵＬ対応基地局＃２配下のセルＢとの間で確立されている上りパケット通信用無線リンクのみを含むように切り替わり、移動局ＵＥのサービングセル（ＨＳＤＰＡ通信用サービングセル及びＥＵＬ通信用サービングセル）は、セルＢに切り替わる。
【００９８】
第２に、図１０に示すケースＢについて説明する。ケースＢでは、ＥＵＬ接続条件＃１として「移動局ＵＥにおける全ての上りパケット通信用無線リンクが高速上りパケット通信（ＥＵＬ通信）対応無線リンクとして確立されること」が用いられ、ＥＵＬ接続条件＃２として「無条件」が用いられているものとする（図５及び図６に示すケース）。
【００９９】
ケースＢにおいて、移動局ＵＥが、Ｔ１に到達するまでの期間は、移動局ＵＥは、第１通信状態であり、移動局ＵＥのアクティブセット（上りパケット通信用）は、ＥＵＬ非対応基地局＃１配下のセルＡとの間で確立されている上りパケット通信用無線リンクのみを含み、移動局ＵＥのサービングセル（ＨＳＤＰＡ通信用サービングセル）は、セルＡである。
【０１００】
次に、移動局ＵＥにおいて、セルＡからの受信レベルとセルＢからの受信レベルの差が追加用閾値となった時点Ｔ１で、移動局ＵＥのアクティブセット（上りパケット通信用）は、ＥＵＬ非対応基地局＃１配下のセルＡとの間で確立されている上りパケット通信用無線リンク及びＥＵＬ対応基地局＃２配下のセルＢとの間で確立されている上りパケット通信用無線リンクの両方を含むように切り替わる。ただし、この時点では、移動局ＵＥは、第１通信状態のままであり、移動局ＵＥのサービングセル（ＨＳＤＰＡ通信用サービングセル）は、セルＡのままである。
【０１０１】
そして、移動局ＵＥにおいて、セルＡからの受信レベルよりもセルＢからの受信レベルの方が大きくなり、セルＡからの受信レベルとセルＢからの受信レベルの差がセルチェンジヒステリシスとなった時点Ｔ２で、移動局ＵＥのサービングセル（ＨＳＤＰＡ通信用サービングセル）は、セルＢに切り替わる。ただし、この時点でも、移動局ＵＥは、第１通信状態のままである。
【０１０２】
その後、移動局ＵＥにおいて、セルＡからの受信レベルとセルＢからの受信レベルの差が削除用閾値となった時点Ｔ３で初めて、移動局ＵＥは、第２通信状態に遷移する。
【０１０３】
第３に、図１０に示すケースＣ（すなわち、本変更例１のケース）について説明する。
【０１０４】
ケースＣにおいて、移動局ＵＥが、Ｔ１に到達するまでの期間は、移動局ＵＥは、第１通信状態であり、移動局ＵＥのアクティブセット（上りパケット通信用）は、ＥＵＬ非対応基地局＃１配下のセルＡとの間で確立されている上りパケット通信用無線リンクのみを含み、移動局ＵＥのサービングセル（ＨＳＤＰＡ通信用サービングセル）は、セルＡである。
【０１０５】
次に、移動局ＵＥにおいて、セルＡからの受信レベルとセルＢからの受信レベルの差が追加用閾値となった時点Ｔ１で、移動局ＵＥのアクティブセット（上りパケット通信用）は、ＥＵＬ非対応基地局＃１配下のセルＡとの間で確立されている上りパケット通信用無線リンク及びＥＵＬ対応基地局＃２配下のセルＢとの間で確立されている上りパケット通信用無線リンクの両方を含むように切り替わる。ただし、この時点では、移動局ＵＥは、第１通信状態のままであり、移動局ＵＥのサービングセル（ＨＳＤＰＡ通信用サービングセル）は、セルＡのままである。
【０１０６】
その後、移動局ＵＥにおいて、セルＡからの受信レベルよりもセルＢからの受信レベルの方が大きくなり、セルＡからの受信レベルとセルＢからの受信レベルの差がセルチェンジヒステリシスとなった時点Ｔ２で、移動局ＵＥは、第２通信状態に遷移し、移動局ＵＥのサービングセル（ＨＳＤＰＡ通信用サービングセル）は、セルＢに切り替わる。
【０１０７】
なお、上述の移動局ＵＥや基地局ＮｏｄｅＢや無線制御装置ＲＮＣの動作は、ハードウェアによって実施されてもよいし、プロセッサによって実行されるソフトウェアモジュールによって実施されてもよいし、両者の組み合わせによって実施されてもよい。
【０１０８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び基地局ＮｏｄｅＢや無線制御装置ＲＮＣ内に設けられていてもよい。また、かかる記憶媒体及びプロセッサは、ディスクリートコンポーネントとして移動局ＵＥや基地局ＮｏｄｅＢや無線制御装置ＲＮＣ内に設けられていてもよい。
【０１１０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１１１】
【図１】本発明の第１の実施形態に係る移動通信システムの全体構成図である。
【図２】本発明の第１の実施形態に係る無線制御装置の機能ブロック図である。
【図３】本発明の第１の実施形態に係る移動通信システムにおける通信状態のへんかについて説明するための図である。
【図４】本発明の第１の実施形態に係る移動通信システムにおいてＥＵＬ接続条件＃１が成立する動作の一例を示すシーケンス図である。
【図５】本発明の第１の実施形態に係る移動通信システムにおいてＥＵＬ接続条件＃１が成立する動作の一例を示すシーケンス図である。
【図６】本発明の第１の実施形態に係る移動通信システムにおいてＥＵＬ接続条件＃２が成立する動作の一例を示すシーケンス図である。
【図７】本発明の第１の実施形態に係る移動通信システムにおいてＥＵＬ接続条件＃２が成立する動作の一例を示すシーケンス図である。
【図８】本発明の第１の実施形態に係る移動通信システムにおいてＥＵＬ接続条件＃２が成立する動作の一例を示すシーケンス図である。
【図９】本発明の第１の実施形態に係る移動通信システムにおいてＥＵＬ接続条件＃２が成立する動作の一例を示すシーケンス図である。
【図１０】本発明の変更例１に係る移動通信システムについて説明するための図である。
【符号の説明】
【０１１２】
ＲＮＣ…無線制御装置
１１…移動局インターフェイス
１２…基地局インターフェイス
１３…通信状態制御部
１４…判定部
ＵＥ…移動局
【図１】
0005184139.tif 000002
【図２】
0005184139.tif 000003
【図３】
0005184139.tif 000004
【図４】
0005184139.tif 000005
【図５】
0005184139.tif 000006
【図６】
0005184139.tif 000007
【図７】
0005184139.tif 000008
【図８】
0005184139.tif 000009
【図９】
0005184139.tif 000010
【図１０】
0005184139.tif 000011